(57)【要約】      （修正有）【課題】任意の位置で固定及び解除を行うことのできる移動式作業台を提供する。【解決手段】作業台に設けられたレールに任意の位置で固定する機構５、６及び、移動式作業台１とレールとの間を任意の位置で自由に取り外せる機構とを有し、さらに移動式作業台１が置かれる作業台間のつなぎ目の段差、隙間による振動、衝撃を生じさせずにスムーズな走行できる機構８、９を有し、さらに、移動式作業台の電子機器の組み立てに不可欠な静電気を除去するための接地経路３を備える。【選択図】図２
2008049420.tif 000002
【特許請求の範囲】
【請求項１】
部品の組立を行う移動式の組立作業台において、任意の位置で固定する機構を備えたことを特徴とする移動式作業台
【請求項２】
前記、移動式作業台を除電用に接地経路を有する機構を備えたことを特徴とする請求項１の移動式作業台
【請求項３】
前記、移動式作業台が置かれている任意の位置で該作業台を取り外せる機構を備えたことを特徴とする請求項１の移動式作業台
【請求項４】
前記、移動式作業台が走行する際、該移動式作業台が置かれている作業台間の隙間、段差による振動、衝撃を吸収する機構を備えたことを特徴とする請求項１の移動式作業台
【発明の詳細な説明】
【技術分野】
【０００１】
本発明は、部品の組立作業を行う移動式の作業台に関するものである。
【背景技術】
【０００２】
従来、部品の組立作業を行う移動式の作業台として、
【特許文献１】特開平９−５７６６４
【特許文献２】特開２００３−２７５９３０
【特許文献３】特開２００３−２７５９３１の移動式作業台があるこれらはいずれもカーブして敷設されたレールをスムーズに走行するためのものであり本発明の任意の位置でレールに固定、解除する移動式作業台には適用されない。上記、特許文献１の特開平９−５７６６４は、矩形作業板の二つの角に回転板に支持された一対のローラを備え、他の二つの角に一対のキヤスタを備えた構造である。回転板に支持されたローラを円筒状のレールに乗せることによりカーブして敷設きれたレール上を走行できることを特徴としたものである。従って、本作業台を固定する機構は有しておらず本発明には適用できない。また、特許文献２の特開２００３−２７５９３０は、レールに接するローラをガイドレールによってスライドできる構造になっておりカーブして敷設されたレールをスムーズに走行できるようにしたものであり、作業台を固定する機構は有しておらず本発明には適用できない。さらに、特許文献３の特開２００３−２７５９３１は、レールに接するローラが作業板の中央に取付けられて特許文献１および特許文献２同様、カーブして敷設されたレールをスムーズに走行するため考案されているものであり、本作業台を固定する機構は有しておらず本発明には適用できない。また、レールが敷設される作業台は、そのつなぎ目において間隙や段差を生じる。前記特許文献１、２および３いずれも移動式作業台の隅にキャスタを取付けた構造であり作業台間の間隙、段差による振動、衝撃を受ける構造であり本発明には適用されない。さらに、上記特許文献１、２および３とも塩化ビニール製の円筒状のレールで構成されており、塩化ビニールは絶縁物であることから該作業板を接地することができない。電子機器組立用の作業台であるにもかかわらず接地ができる構造を有しておらず本発明には適用できない。従って、従来例の方法による移動式作業台ではいずれも、レールに固定されないため組立作業を行う際、該作業台が動き組立作業をスムーズに行うことが困難であるばかりでなく、電子機器等の組立に不可欠な除電のための接地経路も有していない。
【発明の開示】
【発明が解決しようとする課題】
【０００３】
従来の方法では、移動式作業台をレールまたは作業台に固定することができず該移動式作業台の上で組立作業を行う場合、該作業台が動き組立作業をスムーズに行えないという不具合があった。  この不具合を解決しようとするため、前記特許文献１、２および３ともに適用されていないが走行レールあるいは作業台にストッパーを設ける場合がある、このストッパーは、あらかじめ決められた位置で台車の走行を一時的に止めるために設けるものであり、移動式作業台を直接的に固定するものではない。このため移動式作業台の動きを止めることができないばかりか停止位置があらかじめ決められており組立作業に制約を生じる等さまざまな不具合があった。また、該移動式作業台は、電子機器の組立に使用される場合が多いいにもかかわらず該作業台を接地する構造を備えておらず静電気を除電することができないという不具合もあった。本発明は、係る従来例の有する不具合を改善し移動式作業台を任意の場所で固定ならびに解除することができ作業性の向上を図ると共に、静電気の除電経路を確保する機構を備えた移動式作業台車を提供することを、その目的とする。
【課題を解決するための手段】
【０００４】
上記目的達成のため、本発明では、移動式作業台において作業台に設けられたレールに任意の位置で固定する機構とレールとの間を任意の位置で自由に取り外せる機構と該移動式作業台が置かれる作業台間のつなぎ目の段差、隙間を振動、衝撃を生じさせず走行できる機構と、さらに、移動式作業台の静電気を除去するための接地経路を備える。このため、本発明では、移動式作業台を組立作業に必要な任意の位置で固定、取り外しが可能となり、該移動式作業台の走行時の振動、衝撃を防止し、組立途中の部品に悪影響を与えることがなくなる。また、静電気の除去のための接地経路ができているため移動式作業台上で組立が行われる電子機器等への悪影響をなくすることができる。
【発明の効果】
【０００５】
本発明に係わる移動式作業台は、任意の位置で移動式作業台を固定および解除する機構ならびに、移動式作業台が走行する作業台の間隙、段差の影響を防止する機構を備え、固定された状態において移動式作業台上で組立作業ができると共に移動式作業台が接地され静電気の影響を受けないという従来にない優れた移動式作業台を得ることができる。
【実施例】
【０００６】
本発明に係る移動式組立台の一実施形態について図１から図１３に基づいて説明する。図１は、本発明の移動式作業台の一実施例を示す平面図である。図１において移動式作業台本体１に作業台固定ローラ取付けアーム５の先端に取付けられた作業台固定ローラ６を回転させるための作業台固定ノブ２が該作業台固定ローラ取付けアーム５に直結されており、該作業台固定ノブ２により移動式作業台本体１の表面から操作できる構造となっている。図２は、移動式作業台の一実施例を示す裏面図である。移動式作業台本体１の裏面には、移動式作業台本体１を走行させるための脚輪となる一般的に使用されているボールキャスタ８および９が取付けられている。ボールキャスタ８は、移動式作業台１の四隅に取付けられ、ボールキャスタ９は、走行方向に対し前側に取付けられている。すなわち、ボールキャスタ８の取付位置１５に対し走行方向の前側である取付位置１６のライン上に配置されている。さらに、該移動式作業台車１が作業台１０，１１に敷設されたレール７に沿って移動するための走行ガイド上部固定金属ローラ３および走行ガイド下部固定ローラ４が取付けられている。図３は、図２のＡ−Ｂ線に沿う断面図である。図３において移動式作業台本体１に取付けられた脚輪（ボールキャスタ）８により走行を可能にしている。補助脚輪（ボールキャスタ）９は、作業台間の間隙による振動、衝撃を吸収するために設けられている。さらに、移動式作業台本体１は、走行ガイド上部固定金属ローラ３と走行ガイド下部固定ローラ４にガイドされレール７の軌道に沿って走行することができる。図４は、曲線軌道を走行できることを示した図である。図４において移動式作業台本体１は、走行ガイド上部固定金属ローラ３と左右の走行ガイド下部固定ローラ４のいずれかによって案内された軌道上を走行することができる。図５は、曲線状のレールに沿って走行できることを示した図である。図５おいて、作業台１０に曲線状にレール７が敷設されている。移動式作業台１の走行ガイド上部固定金属ローラ３と走行ガイド下部固定ローラ４の間にレール７がくるように移動式作業台１が置いてある、この状態で移動式作業台１はレール７に沿って走行が可能となっている、移動式作業台１がレール７の曲線部にきた時、走行ガイド上部固定金属ローラ３と走行ガイド下部固定ローラ４に誘導される、この誘導範囲内で移動式作業台１は曲線部を走行することができる。走行可能な曲線の程度（曲がり具合）は走行ガイド下部固定ローラ４の取付け位置を変えることにより可能である。図６は、移動式作業台を作業台の中央に設置した例を示す図である。図６において移動式作業台本体１は作業台１０にある場合を示しており、４個の脚輪（ボールキャスタ）８と２個の補助脚輪（ボールキャスタ）９によって支えられている。作業台１０と作業台１１との隙間１２には脚輪（ボールキャスタ）８および補助脚輪（ボールキャスタ）９のいずれも接していない場合である。図７は、移動式作業台を作業台間に設置した例を示す図である。図７において移動式作業台本体１が移動した状態を示している。移動式作業台本体１が移動する場合、まず、補助脚輪（ボールキャスタ）９が作業台１０と作業台１１との隙間１２を通過する。このとき、脚輪（ボールキャスタ）８に支えられ移動式作業台本体１は該隙間１２の影響をうけることはない。さらに、移動が進み脚輪（ボールキャスタ）８が該隙間１２を通過する時は、すでに補助脚輪（ボールキャスタ）９が作業台１１に達しており移動式作業台本体１は該隙間１２の影響をうけることはない。すなわち４個の脚輪（ボールキャスタ）８と２個の補助脚輪（ボールキャスタ）９によって移動式作業台本体１は作業台１０と作業台１１との隙間１２には影響を受けず、振動、衝撃等がない状態で移動できる。図８は、移動式作業台本体１が移動するときの状態を示した図である。図８において移動式作業台固定ローラ６は、固定解除側に回転している。レール７に対して走行ガイド上部固定金属ローラ３と走行ガイド下部固定ローラ４の間をレール７が通過する状態である。移動式作業台本体１が走行する際、走行ガイド上部固定金属ローラ３と走行ガイド下部固定ローラ４がガイドとなり敷設されたレール７の軌道をはずれることはない。図９は、図８のＣ−Ｄ線に沿う断面図である。本図９は、移動式作業台固定ノブ２を回転させていない状態であり移動式作業台車１は、走行ガイド上部固定金属ローラ３と走行ガイド下部固定ローラ４の間隙にレール７が位置しており該移動式作業台車１自由に走行の可能な状態を示している。図１０は、移動式作業台車をレールに固定した時の状態を示した図である。図１０において移動式作業台車１はレール７に固定した時の状態を示しており、走行ガイド上部固定金属ローラ３による力の方向１３と移動式作業台固定ローラ６による力の方向１４でレール７を押し付け移動式作業台車１が固定された状態を示している。図１１は、図１０のＥ−Ｆ線に沿う断面図である。本図１１は、図１０のＥ−Ｆ線に沿う断面図である。図１１において移動式作業台固定ノブ２を回転させ回転軸１５に沿って移動式作業台固定ローラ取付けアーム５が回転し、該アーム５の先端に取付けられている移動式作業台固定ローラ６がレール７を押し、走行ガイド上部固定金属ローラ３とでレール７を挟み込み固定した状態を図示してある。さらに、移動式作業台車１の上面に貼り付けられている導電マット１８から走行ガイド上部固定金属ローラ３および、レール７を経由して接地１７への接地経路１６を経て該導電マット１８が接地される状況を示している。走行ガイド上部固定金属ローラ３が金属製のローラを使用して導通性を高め接地経路として使用している。走行ガイド下部固定ローラ４は、固定性を向上させるため樹脂やゴム系のローラを採用している。図１２は、従来例の移動式作業台の概略図である。図１２おいて、作業台２４に取付けられたレール２５に沿って走行するためのローラ２３が回転台２２に取付けられており曲がったレールに沿って走行できる移動式作業台２１を示したものである。図１３は、従来例の移動式作業台の概略図である。図１３において、作業台３３に取付けられたレール３４に沿って走行するためのローラ３２が走行方向にスライドする取付け台３５にローラ３２が取付けられており曲がったレールに沿って走行できる移動式作業台３１を示したものである。
【０００７】
本実施形態の移動式作業台の動作は、移動式作業台１の移動式作業台固定ノブ２を回転させ固定解除しておく、次に組立作業を行いたい位置まて移動式作業台１を走行、移動させる。任意の位置で移動式作業台固定ノブ２を回転させレール７に移動式作業台１を固定させた後、該台車上で組立作業を行う。この時、走行ガイド上部固定金属ローラ３がレール７に強く押し付けられているので静電気の除電のための接地経路が形成され組立品の電子機器類を静電気からの影響を排除することができる。所定の組立作業が完了したら移動式作業台固定ノブ２を回転させ固定解除し、該台車を走行、移動させる。組立作業が全て完了し、該作業台車が不要になった場合、移動式作業台固定ノブ２を回転させ固定解除してあればどの位置でも該作業台車を持ち上げレール７上から容易にはずすことができる。
【図面の簡単な説明】
【０００８】
【図１】本発明の移動式作業台の一実施例を示す平面図である。
【図２】本発明の移動式作業台の一実施例を示す裏面図である。
【図３】図２のＡ−Ｂ線に沿う断面図である。
【図４】曲線軌道を走行できることを示した図である。
【図５】曲線状のレールに沿って走行できることを示した図である
【図６】移動式作業台を作業台の中央に設置した例を示す図である。
【図７】移動式作業台を作業台間に設置した例を示す図である。
【図８】移動式作業台本体が移動するときの状態を示した図である。
【図９】図８のＣ−Ｄ線に沿う断面図である。
【図１０】移動式作業台車をレールに固定した時の状態を示した図である。
【図１１】図１０のＥ−Ｆ線に沿う断面図である。
【図１２】従来例の移動式作業台の概略図である
【図１３】従来例の移動式作業台の概略図である
【符号の説明】
【０００９】
１  移動式作業台本体
２  移動式作業台固定ノブ
３  走行ガイド上部固定金属ローラ
４  走行ガイド下部固定ローラ
５  移動式作業台固定ローラ取付けアーム
６  移動式作業台固定ローラ
７  レール
８  脚輪（ボールキャスタ）
９  補助脚輪（ボールキャスタ）
１０  作業台
１１  作業台
１２  作業台間の隙間
１３  レールに加わる力方向
１４  レールに加わる力方向
１５  作業台固定ノブの回転軸
１６  接地経路
１７  接地
１８  導電マット
２１  従来例の移動式組立台の作業板
２２  従来例の移動式組立台の回転板
２３  従来例の移動式組立台のローラ
２４  従来例の移動式組立台を設置する作業テーブル
２５  従来例のレール
３１  従来例の移動式組立台の作業板
３２  従来例の移動式組立台のローラ
３３  従来例の移動式組立台を設置する作業テーブル
３４  従来例のレール
３５  従来例のスライドするローラ取付台
【図１】
2008049420.tif 000003
【図２】
2008049420.tif 000004
【図３】
2008049420.tif 000005
【図４】
2008049420.tif 000006
【図５】
2008049420.tif 000007
【図６】
2008049420.tif 000008
【図７】
2008049420.tif 000009
【図８】
2008049420.tif 000010
【図９】
2008049420.tif 000011
【図１０】
2008049420.tif 000012
【図１１】
2008049420.tif 000013
【図１２】
2008049420.tif 000014
【図１３】
2008049420.tif 000015